(57)【特許請求の範囲】
【請求項１】
室内空間と壁裏空間とを仕切る壁材に形成された点検口の周縁に沿って設けられる枠部材と、
前記枠部材が有する開口を塞ぐように取り付けられる板状の蓋部材と、を備える点検口装置であって、
前記枠部材は、前記点検口の周縁の一辺に沿って延びる第１辺部材と、前記点検口の周縁の他辺に沿って延び、前記第１辺部材と所定の角度をもって交差する第２辺部材と、前記第１辺部材及び前記第２辺部材の交差部分の壁裏空間側に取り付けられ、前記第１辺部材及び前記第２辺部材を連結するコーナー連結部材と、を有し、
前記第１辺部材及び前記第２辺部材はそれぞれ、前記点検口の周縁に対向するように設けられた側壁と、前記側壁の室内空間側の端部から前記点検口の外側に延出する延出部とを一体に有し、
前記コーナー連結部材は、前記側壁の外側面に接触する側壁接触部と、前記側壁接触部の室内空間側の端部から前記点検口の外側に延出し、前記延出部の壁裏空間側に接触する延出接触部とを一体に有し、
前記側壁と前記側壁接触部との接触面よりも点検口の内側で、前記第１辺部材及び前記第２辺部材が前記コーナー連結部材に固定されている点検口装置。
【請求項２】
前記第１辺部材及び前記第２辺部材はそれぞれ、前記側壁の壁裏空間側の端部から前記点検口の内側に延出する基底部をさらに有し、
前記コーナー連結部材は、前記側壁部の壁裏空間側の端部から前記点検口の内側に延出する基底接触部をさらに有し、
前記基底接触部は、前記第１辺部材及び前記第２辺部材の前記基底部の壁裏空間側に接触する請求項１に記載の点検口装置。
【請求項３】
前記第１辺部材及び前記第２辺部材の側壁は、壁裏空間側の端部に被嵌合部を有し、
前記コーナー連結部材は、前記側壁部に略平行に離間して前記基底接触部から室内空間側に延び、前記被嵌合部に嵌合する嵌合部を有する請求項２に記載の点検口装置。
【請求項４】
前記基底接触部は、前記第１辺部材及び前記第２辺部材の前記基底部と溶着により固定されている請求項２又は３に記載の点検口装置。
【請求項５】
前記嵌合部は、前記第１辺部材及び前記第２辺部材の前記被嵌合部と溶着により固定されている請求項３に記載の点検口装置。
【発明の詳細な説明】
【技術分野】
【０００１】
本発明は、家屋の壁面内、天井裏等に配設された配管等を点検するために形成された点検口に取り付けられる点検口装置に関する。
【背景技術】
【０００２】
上記点検口装置に関する従来技術として、例えば下記特許文献１が公知である。特許文献１の点検口枠体は、上下左右の枠材と、隣り合う枠材の端部同士を嵌め込むことにより接合一体化するＬ字状接合部材と、によって正方形状又は長方形状の枠本体を構成している。この枠本体のＬ字状接合部材を取り付けた側の反対側には、隣り合う枠材の端部同士を係合により取り付けるＬ字状の蓋板支持片と、隣り合うＬ字状の蓋板支持片同士の間に取り付けられる直線状の蓋板支持片と、が取り付けられている。これらＬ字状及び直線状の蓋板支持片によって蓋板を枠本体に固定することにより、点検口を閉口している（特許文献１の図７、図９、図１０等）。
【先行技術文献】
【特許文献】
【０００３】
【特許文献１】特開２００１−１２３６５２号公報
【発明の概要】
【発明が解決しようとする課題】
【０００４】
特許文献１に記載の点検口枠体は、枠材（辺部材）の室内側と壁裏側の両側にＬ字状接合部材（コーナー連結部材）を取り付けることで隣り合う枠材同士を一体連結しているが、このように枠材の室内側と壁裏側の両側からＬ字状の部材を嵌め込む作業が煩雑であった。
【０００５】
本発明は、上記の事情に鑑みてなされたものであり、隣接する辺部材を簡便かつ強固に連結した枠部材を備える点検口装置を提供することを目的とする。
【課題を解決するための手段】
【０００６】
上記課題を解決するためのものとして、本発明は、室内空間と壁裏空間とを仕切る壁材に形成された点検口の周縁に沿って設けられる枠部材と、前記枠部材が有する開口を塞ぐように取り付けられる板状の蓋部材と、を備える点検口装置であって、前記枠部材は、前記点検口の周縁の一辺に沿って延びる第１辺部材と、前記点検口の周縁の他辺に沿って延び、前記第１辺部材と所定の角度をもって交差する第２辺部材と、前記第１辺部材及び前記第２辺部材の交差部分の壁裏空間側に取り付けられ、前記第１辺部材及び前記第２辺部材を連結するコーナー連結部材と、を有し、前記第１辺部材及び前記第２辺部材はそれぞれ、前記点検口の周縁に対向するように設けられた側壁と、前記側壁の室内空間側の端部から前記点検口の外側に延出する延出部とを一体に有し、前記コーナー連結部材は、前記側壁に接触する側壁接触部と、前記側壁の室内空間側の端部から前記点検口の外側に延出し、前記延出部の壁裏空間側に接触する延出接触部とを一体に有し、前記側壁と前記側壁接触部との接触面よりも点検口の内側で、前記第１辺部材及び前記第２辺部材が前記コーナー連結部材に固定されていることを特徴とする（請求項１）。
【０００７】
本発明によれば、第１及び第２辺部材の側壁がコーナー連結部材の側壁接触部に接触しているので、第１及び第２辺部材の側壁に外側の力が加わっても第１及び第２辺部材が外側に広がらないように側壁接触部が第１及び第２辺部材の外側への広がりを抑えることができる。また、点検口に枠部材を取り付ける時及び枠部材に蓋部材を取り付ける時には、第１及び第２辺部材の延出部の室内空間側の端部に負荷がかかりやすいが、当該延出部がコーナー連結部材の延出接触部に接触して点検口の外側に延びているので、上記延出部への負荷の一部をコーナー連結部材（延出接触部）に逃がすことができる。このように第１及び第２辺部材の延出部にかかる負荷をコーナー連結部材に逃がすことで、第１及び第２辺部材の延出部が変形することを抑制することができる。したがって、側壁と側壁接触部との接触面よりも点検口の内側で、上記コーナー連結部材を第１及び第２辺部材に固定すれば、コーナー連結部材の側壁接触部及び延出接触部は第１及び第２辺部材に固定しなくても（接触させるだけで）、枠部材の第１及び第２辺部材の交差部分の強度を十分に高めることができ、以って枠部材の強度を高めることができる。
【０００８】
前記構成において、好ましくは、前記第１辺部材及び前記第２辺部材はそれぞれ、前記側壁の壁裏空間側の端部から前記点検口の内側に延出する基底部をさらに有し、前記コーナー連結部材は、前記側壁部の壁裏空間側の端部から前記点検口の内側に延出する基底接触部をさらに有し、前記基底接触部は、前記第１辺部材及び前記第２辺部材の前記基底部の壁裏空間側に接触している（請求項２）。
【０００９】
上記構成によれば、枠部材に蓋部材を取り付ける時に蓋部材の壁裏空間側が基底部に接触することで、蓋部材の壁裏空間側を支持することができる。そして、第１及び第２辺部材の基底部がコーナー連結部材の基底接触部に接触しているので、第１及び第２辺部材の基底部に壁裏空間側向けの力が過剰に加わっても基底接触部が基底部を壁裏空間側から支えることができ、基底部が壁裏空間側に変形することを抑制し得る。また第１及び第２辺部材の側壁、延出部及び基底部の３面のいずれか１つの部位に負荷が集中したときにもその負荷を他の１又は２の部位に分散することができるし、各部位がそれぞれコーナー連結部材の側壁接触部、延出接触部及び基底接触部のいずれかに接触しているので、コーナー連結部材が第１及び第２辺部材の交差部分の強度を弱点なく補強し得る。
【００１０】
前記構成において、好ましくは、前記第１辺部材及び前記第２辺部材の側壁は、壁裏空間側の端部に被嵌合部を有し、前記コーナー連結部材は、前記側壁部に略平行に離間して前記基底接触部から室内空間側に延び、前記被嵌合部に嵌合する嵌合部を有する（請求項３）。
【００１１】
上記構成によれば、コーナー連結部材の嵌合部を第１及び第２辺部材の被嵌合部に嵌合することにより、コーナー連結部材における第１及び第２辺部材の取付位置を仮決めすることができる。このように第１及び第２辺部材の取付位置を仮決めすることにより、第１及び第２辺部材がコーナー連結部材から位置ズレすることなく容易に両部材を固定することができる。
【００１２】
前記構成において、好ましくは、前記基底接触部は、前記第１辺部材及び前記第２辺部材の前記基底部と溶着により固定されている（請求項４）。
【００１３】
上記構成によれば、第１及び第２辺部材とコーナー連結部材との接触面のうちの壁裏空間側の面で第１及び第２辺部材とコーナー連結部材とを溶着することができるので溶着作業を簡便に行うことができる。またこの部分を溶着することで両部材の接合強度を高めることができ、第１及び第２辺部材がコーナー連結部材から外れにくくなる。
【００１４】
前記構成において、好ましくは、前記嵌合部は、前記第１辺部材及び前記第２辺部材の前記被嵌合部と溶着により固定されている（請求項５）。
【００１５】
上記構成によれば、コーナー連結部材の嵌合部が第１及び第２辺部材の側壁に溶着されるので、第１及び第２辺部材がコーナー連結部材から外れにくくなる。
【発明の効果】
【００１６】
本発明によれば、隣接する辺部材を簡便かつ強固に連結した枠部材を備える点検口装置を提供することができる。
【図面の簡単な説明】
【００１７】
【図１】本発明の実施形態に係る点検口装置（枠部材に蓋部材を取り付けた状態）を室内空間側から見た正面図である。
【図２】図１におけるＩＩ−ＩＩ線断面図である。
【図３】コーナー連結部材の斜視図である。
【図４】コーナー連結部材に第１及び第２辺部材を取り付けた後の枠部材の一部切欠き斜視図である。
【図５】図４の枠部材に対し蓋部材を取り付けた後の点検口装置の一部切欠き斜視図である。
【図６】図５におけるＶＩ−ＶＩ線断面図である。
【図７】図２に示す点検口装置取付時の、蓋部材を枠部材に取り付ける前の状態を示す断面図である。
【図８】図２に示す点検口装置取付時の、蓋部材を枠部材の開口に挿入した状態を示す断面図である。
【発明を実施するための形態】
【００１８】
以下添付図面を参照しながら、本発明の実施の形態について説明する。なお、以下の実施の形態は、本発明を具体化した例であって、本発明の技術的範囲を限定する性格のものではない。
【００１９】
＜点検口装置の構成＞
図１は、本実施形態の点検口装置（枠部材１に蓋部材２を取り付けた状態）を室内空間側から見た正面図であり、図２は図１におけるＩＩ−ＩＩ線断面図である。本実施形態の点検口装置１００は、図１及び図２に示すように、室内空間Ｓ１と壁裏空間Ｓ２とを仕切る壁材Ｋ（図２のみ図示）の点検口Ｔ１の周縁に沿って設けられる略四角形状の枠部材１と、枠部材１に取り付けられる板状の蓋部材２と、蓋部材２の周縁部を枠部材１に固定するために枠部材１に係脱可能に取り付けられるカバー部材５と、を備えている。
【００２０】
壁材Ｋは、図２に示すように下地桁材ＳＫに固定されており、床と天井とを接続する上下方向に平行な横壁である。下地桁材ＳＫは、例えば、木質材、軽量鉄骨、あるいは鋼管などで構成されている。点検口Ｔ１は、壁材Ｋに形成された略四角形状の開口である。
【００２１】
枠部材１は、点検口Ｔ１の周縁に沿って設けられ、中央に開口Ｔ２を有する略四角形状の枠体である。蓋部材２は、枠部材１の開口Ｔ２を塞ぐことができる所定厚みの略四角形の平板状の板材である。図１中、破線は蓋部材２の外周を示している。カバー部材５は、枠部材１の各辺部材１ａ〜１ｄの室内空間Ｓ１側に各１つ計４つ取り付けられている。蓋部材２の外周は、図１に示すように、カバー部材５の内周縁よりも外側に位置している。ここで、「外側」とは、点検口Ｔ１の中心から離れる側を意味し、「内側」とは点検口Ｔ１の中心側を意味する。
【００２２】
枠部材１は、辺部材１ａ〜１ｄと、それらを繋ぐコーナー連結部材３ａ〜３ｄと、を備えている。辺部材１ａ〜１ｄ及びコーナー連結部材３ａ〜３ｄはいずれも、蓋部材２を支持する強度を有する硬質材料で構成される。硬質材料としては、例えば、硬質の塩化ビニル樹脂、ＡＢＳ樹脂、ポリスチレン樹脂、ポリエチレン樹脂、ポリプロピレン樹脂、アルミニウム又はアルミニウム合金が挙げられる。
【００２３】
辺部材１ａ〜１ｄは、略四角形状の枠部材１の各辺を構成し、上側、下側、左側及び右側に位置する辺部材をそれぞれ、上辺部材１ａ、下辺部材１ｂ、左辺部材１ｃ及び右辺部材１ｄという。辺部材１ａ〜１ｄはいずれも両端が斜め４５°の角度で切り落とされた長尺状の等脚台形であり、各辺部材１ａ〜１ｄの突合せ部分をコーナー連結部材３ａ〜３ｄで連結することにより一体化している。以下、コーナー連結部材３ａ〜３ｄを総称して「コーナー連結部材３」と記すこともある。
【００２４】
上記４つの辺部材１ａ〜１ｄのうち互いに交差する任意の辺部材の組は、請求項の「第１辺部材」及び「第２辺部材」に相当する。例えば、互いに交差する上辺部材１ａ及び右辺部材１ｄの組については、そのいずれか一方が「第１辺部材」に、他方が「第２辺部材」に相当する。このことは、右辺部材１ｄと下辺部材１ｂの組、下辺部材１ｂと左辺部材１ｃの組、及び左辺部材１ｃと上辺部材１ａの組においても同様である。以下の説明においては、請求項との対応関係を明確にするために上辺部材１ａ及び右辺部材１ｄをそれぞれ「第１辺部材」及び「第２辺部材」と記すこともある。
【００２５】
図３はコーナー連結部材の斜視図であり、図４はコーナー連結部材に２つの辺部材（上辺部材１ａ及び右辺部材１ｄ）を取り付けた後の枠部材１の一部切欠き斜視図であり、図５は図４の枠部材に蓋部材を取り付けた状態の一部切欠き斜視図であり、図６は、図５におけるＶＩ−ＶＩ線断面図である。
【００２６】
コーナー連結部材３は、辺部材１ａ〜１ｄの突合せ部分を連結し、かつその連結部分を補強するものであり、図３に示すように、基底接触部３１と、側壁接触部３２と、嵌合部３３と、延出接触部３４とを一体に有している。
【００２７】
基底接触部３１は、上面視でＬ字型の平板形状を呈し、このＬ字型の２辺のそれぞれの延びる方向に４本の溶着凸部３５がＬ字型に設けられている。上記基底接触部３１の２辺のそれぞれに対して１つずつ上辺部材１ａ及び右辺部材１ｄの後述する基底部１２（図４）を溶着することで、図４に示すように上辺部材１ａ及び右辺部材１ｄをそれぞれ固定する。ここでの溶着は、辺部材１ａ、１ｄの基底部１２をコーナー連結部材３の基底接触部３１に接触させた上で、基底接触部３１の下側から超音波を照射して溶着凸部３５を溶融させることにより行なう。かかる溶着後には溶着凸部３５が溶融して厚みが薄くなってしまうため、図４に示すように枠部材１の完成品においては溶着凸部３５を確認することは困難となる。
【００２８】
基底接触部３１の壁裏空間Ｓ２側の面（つまり図３における下側面）が枠部材１の四隅の壁裏空間Ｓ２側の端面となる。基底接触部３１の外側端部には、室内空間Ｓ１側に立ち上がる側壁接触部３２が一体に設けられている。また側壁接触部３２よりも内側であって、かつ側壁接触部３２に略平行に離間して２つの嵌合部３３が一体に設けられている。
【００２９】
２方向に延びる基底接触部３１の各先端には、コの字型に切り欠いた切欠き部７ａが設けられている。当該切欠き部７ａは、辺部材１ａ〜１ｄの挿通孔７にネジ又は釘等の固定部材Ｎを挿入するときに、当該固定部材Ｎが通過する部位である。このため、辺部材１ａ〜１ｄとの位置関係で言うと、切欠き部７ａは、上述の辺部材１ａ〜１ｄの挿通孔７の下方に位置している。
【００３０】
側壁接触部３２は、基底接触部３１の外側端部から室内空間Ｓ１側に延びる平板状の部材であり、コーナー連結部材３ａに取り付けた辺部材１ａ、１ｄの後述する側壁１１の外側に接触する部位である。側壁接触部３２は、外側壁１１ａの室内空間Ｓ１側の端部から壁裏空間Ｓ２側の端部までの長さと略同一長さだけ基底接触部３１の外側端部から室内空間Ｓ１側に延出している。この側壁接触部３２によって辺部材１ａ、１ｄの外側壁１１ａの外側面を押さえる。
【００３１】
嵌合部３３は、辺部材１ａの被嵌合部１１ｄ（外側壁１１ａと内側壁１１ｂとの間）に嵌合させる平板状の部材であり、コーナー連結部材３ａ〜３ｄと辺部材１ａ〜１ｄとの位置合わせを容易にするために設けられる。側壁接触部３２と嵌合部３３とは互いに略平行となっており、側壁接触部３２と嵌合部３３との間には後述する外側壁１１ａが取り付けられる。嵌合部３３は、基底接触部３１のＬ字型の２辺のそれぞれに対して１つずつ計２つ設けられており、それぞれに対して辺部材１ａ、１ｄの被嵌合部１１ｄを嵌合させることにより、コーナー連結部材３ａ〜３ｄに対する辺部材１ａ、１ｄの位置を合わせる。
【００３２】
嵌合部３３は、図３に示すように、被嵌合部１１ｄの間隙（後述する内側壁１１ｂと外側壁１１ａとの間の距離）よりも厚みの小さいベース壁３３ａと、当該ベース壁３３ａの側面の一部をその厚み方向に突出させた突起３３ｂと、を有している。突起３３ｂは、ベース壁３３ａの長手方向に離間してそれぞれ４つずつ基底接触部３１から室内空間Ｓ１側に延びており、被嵌合部１１ｄに挿入された嵌合部３３が意図せず被嵌合部１１ｄから外れてしまうことを防止するために設けられる。
【００３３】
延出接触部３４は、側壁接触部３２の室内空間Ｓ１側（図３の上側）の端部から外側に延出する部位であり、図４に示すように辺部材１ａ〜１ｄの後述する延出部１４の壁裏空間Ｓ２側に当接する。この延出接触部３４が延出部１４に当接することで枠部材１の外周部分が補強される。延出接触部３４の厚みは、図６に示すように、壁材当接部１４ｂの外側延出部１４ａからの突出長さと略同一とされている。このため、コーナー連結部材３に辺部材１ａ〜１ｄを取り付けた状態において、壁材当接部１４ｂの壁裏空間Ｓ２側の面と延出接触部３４とが略同一平面を構成している。
【００３４】
枠部材１を構成する辺部材１ａ〜１ｄはそれぞれ、図６に示すように、側壁１１と、基底部１２と、支持部１３と、延出部１４と、蓋縁支持部１５と、を一体に有している。
【００３５】
側壁１１は、点検口Ｔ１の縁に対向して設けられる平板状の部材であり、点検口Ｔ１の内縁全体に亘って設けられている。側壁１１は、壁材Ｋに対向する外側壁１１ａと、外側壁１１ａよりも内側に外側壁１１ａに略平行に離間して配置された内側壁１１ｂと、外側壁１１ａと内側壁１１ｂとを内外に連結する連結壁１１ｃとを有している。
【００３６】
外側壁１１ａ及び内側壁１１ｂの壁裏空間Ｓ２側の端部が被嵌合部１１ｄとなる。被嵌合部１１ｄは、壁裏空間Ｓ２側に開放された凹溝形状であり、辺部材１ａ〜１ｄの長手方向の全体に亘って設けられている。この被嵌合部１１ｄに、コーナー連結部材３の後述する嵌合部３３が挿入されることにより、各辺部材１ａ〜１ｄがそれぞれコーナー連結部材３ａ〜３ｄに固定される。
【００３７】
外側壁１１ａ及び内側壁１１ｂは、図６に示すように、連結壁１１ｃよりも室内空間Ｓ１側に被係合部１１ｅを形成している。被係合部１１ｅは、室内空間Ｓ１側に開放された凹溝形状を有し、辺部材１ａ〜１ｄの長手方向の全体に亘って設けられている。被係合部１１ｅを構成する内側壁１１ｂの室内空間Ｓ１側の端部には、外側壁１１ａ側に突出する鉤状部（突片）１１ｈが形成されている。この鉤状部１１ｈに、後述するカバー部材５の係合部５３を挿入することにより係合部５３が被係合部１１ｅに係合し、カバー部材５が枠部材１に固定される。
【００３８】
鉤状部１１ｈは、図６に示すように、室内空間Ｓ１側の先端から壁裏空間Ｓ２側に向けて徐々に厚みが厚くなる傾斜面１１ｇと、傾斜面１１ｇの壁裏空間Ｓ２側の端部と内側壁１１ｂとを垂直に結ぶ段差１１ｉとを有している。傾斜面１１ｇは、係合部５３が接触した時に係合部５３を被係合部１１ｅ内に案内する角度で傾斜している。段差１１ｉは、係合部５３を引っ掛けることで係合部５３が被係合部１１ｅから簡単に外れることを防止している。
【００３９】
基底部１２は、図６に示すように、内側壁１１ｂの壁裏空間Ｓ２側の端部から内側に延出する平板状の部材であり、蓋部材２が枠部材１の壁裏空間Ｓ２側に外れてしまうことを防止するために設けられる。この基底部１２の内側端部が枠部材１の内周縁となる。基底部１２の壁裏空間Ｓ２側の面は、コーナー連結部材３の基底接触部３１に当接している。基底部１２には、図２に示すように、ネジあるいは釘などの固定部材Ｎの軸部を挿通する挿通孔７が形成されている。
【００４０】
支持部１３は、図６に示すように、基底部１２の内側端部から室内空間Ｓ１側に直角に延びる蓋側延出部１３ａと、基底部１２の内側端部から壁裏空間Ｓ２側に直角に延びる下地側延出部１３ｂと、を有している。蓋側延出部１３ａは、蓋部材２の外周近傍を壁裏空間Ｓ２側から支持し、下地側延出部１３ｂは、点検口Ｔ１に枠部材１を取り付けた状態で下地桁材ＳＫに当接している。蓋側延出部１３ａの室内空間Ｓ１側の端部は、後述する蓋縁支持部１５の室内空間Ｓ１側の面と略同一平面とされている。下地側延出部１３ｂの壁裏空間Ｓ２側への延出長さは、後述するコーナー連結部材３の基底接触部３１の厚みと略同一になっている。
【００４１】
延出部１４は、図６に示すように、外側壁１１ａの室内空間Ｓ１側の端部から外側に延出する外側延出部１４ａと、外側延出部１４ａの外側端部から壁裏空間Ｓ２側に延びる壁材当接部１４ｂとを有している。外側延出部１４ａはコーナー連結部材３の延出接触部３４に接触する部分であり、この外側延出部１４ａの室内空間Ｓ１側の端部には連結部５２が取り付けられている。壁材当接部１４ｂの外側延出部１４ａから壁裏空間Ｓ２側への延出長さは、延出接触部３４の厚みと略同一となっている。枠部材１の点検口Ｔ１への取付は、壁材当接部１４ｂの壁裏空間Ｓ２側の端部を点検口Ｔ１周辺の壁材Ｋに当接させることにより行なう。
【００４２】
蓋縁支持部１５は、蓋側延出部１３ａの先端部分とともに蓋部材２の壁裏空間Ｓ２側を支持する部位であり、内側壁１１ｂの内側面から内側に延びている。上述のように蓋側延出部１３ａと蓋縁支持部１５との２点で蓋部材２の一辺の壁裏空間Ｓ２側が支持される。
【００４３】
カバー部材５は、カバー本体部５１と、連結部５２と、係合部５３とを有している。
【００４４】
カバー本体部５１は、図１に示すように辺部材１ａ〜１ｄの長手方向全体に亘って設けられ、開口Ｔ２の周縁の蓋部材２を室内空間Ｓ１側から保持する平板状の部材である。図６に示すカバー部材５を枠部材１に固定した状態（つまり係合部５３を被係合部１１ｅに係合させた状態）において、カバー本体部５１の内周縁５１ａが蓋部材２の外周縁よりも内側に位置することで、蓋部材２が枠部材１の室内空間側に外れることを防止する。カバー本体部５１の内周縁よりも係合部５３側には当接片６が取り付けられている。
【００４５】
当接片６は、図６に示す断面視で、所定の角度をなして折れ曲がっており、係合部５３が被係合部１１ｅに係合した状態で当接片６の先端が蓋部材２の表面に接するように壁裏空間Ｓ２側に突出している。当接片６が蓋部材２の室内空間Ｓ１側に当接するとともに枠部材１の蓋側延出部１３ａ及び蓋縁支持部１５が蓋部材２の壁裏空間Ｓ２側に当接することで、蓋部材２が厚み方向の前後に固定される。
【００４６】
当接片６は、カバー本体部５１の端部近傍に取り付けられており、可撓性を有する材料で構成されている。ここでの可撓性を有する材料の種類は特に限定されず、例えば、軟質の塩化ビニル樹脂、熱可塑性エラストマー等を挙げることができる。弾性変形する前の（いわゆる自然状態の）当接片６の厚みは、蓋部材２が前後に動作することを防止し得る程度の強度と、指で押し込んだ時に容易に変形し得る程度の柔軟性とのバランスを両立するという趣旨で０．３ｍｍ以上１ｍｍ以下とされている。
【００４７】
連結部５２は、カバー本体部５１の外側の端部に設けられており、カバー本体部５１と外側延出部１４ａとを連結している。連結部５２の一端はカバー本体部５１と一体化されており、連結部５２の他端は外側延出部１４ａと一体化されている。連結部５２も、当接片６と同様の可撓性材料で構成されている。この連結部５２を変形させることにより被係合部１１ｅに係合している係合部５３の係合を解除することか可能となる。
【００４８】
係合部５３は、枠部材１の被係合部１１ｅに挿入される凸部であり、カバー本体部５ａの長手方向全体に亘って設けられている。係合部５３は、カバー本体部５ａの蓋部材２と接する側の面から突出する平板状の首部５３ａと、首部５３ａの先端に一体に設けられた断面略円形状の増厚部５３ｂとを備えている。
【００４９】
首部５３ａは、カバー本体部５ａの壁裏空間Ｓ２側の面から突出し、カバー本体部５ａの長手方向全体に亘って延びる平板状の部位である。図６に示すように、増厚部５３ｂの直径は、外側壁１１ａと内側壁１１ｂとの間の距離よりも若干小さく、首部５３ａの厚みは、増厚部５３ｂの直径（厚み）よりもさらに小さくなっている。図６に示すように、カバー部材５の係合部５３を被係合部１１ｅに係合させた状態では、鉤状部１１ｈの段差１１ｉが、首部５３ａと増厚部５３ｂとの境界部（括れ部）に係合している。
【００５０】
＜枠部材の組立方法＞
枠部材１の組立方法を説明する。まず、図３に示すコーナー連結部材３の２つの嵌合部３３のうちの一方の嵌合部３３に対し上辺部材１ａの被嵌合部１１ｄを嵌め込む。そして、他方の嵌合部３３に対し右辺部材１ｄの被嵌合部１１ｄを嵌め込む。嵌合部３３は、上辺部材及び右辺部材１ａ、１ｄの取付位置を決定するために設けられるものであるため、上辺部材及び右辺部材１ａ、１ｄの被嵌合部１１ｄを嵌合部３３に嵌め込むだけの作業で、コーナー連結部材３に対する上辺部材１ａ及び右辺部材１ｄの取付位置を確定することができる。
【００５１】
次に、上辺部材１ａ及び右辺部材１ｄを取り付けた状態のコーナー連結部材３ａを裏返す。つまり、溶着凸部３５が形成されている面が下向きになるようにコーナー連結部材３ａを配置する。このときにも嵌合部３３の突起３３ｂが被嵌合部１１ｄに引っかかっているので、上辺部材１ａ及び右辺部材１ｄがコーナー連結部材３から外れにくくなっている。この状態で、コーナー連結部材３ａの基底接触部３１に対して超音波を照射することにより溶着凸部３５を溶解させて、コーナー連結部材３と上辺部材１ａ及び右辺部材１ｄとを溶着する。これにより図４に示す状態、つまり上辺部材１ａ及び右辺部材１ｄがコーナー連結部材３ａに一体化された状態とすることができる。これと同様の作業を各辺部材１ａ〜１ｄに対して実行することにより略四角形の枠体で構成される枠部材１を作製することができる。
【００５２】
＜点検口装置の使用方法＞
上記で作製した枠部材１を用いた点検口装置の使用方法を説明する。まず、図７に示すように、カバー部材５の係合部５３を被係合部１１ｅから外した状態の枠部材１を、点検口Ｔ１に挿入する。このとき、枠部材１は、コーナー連結部材３及び支持部１３の壁裏空間Ｓ２側の端部が下地桁材ＳＫに当接する位置まで挿入される。このとき、壁材当接部１４ｂの壁裏空間Ｓ２側の端部も壁材Ｋに当接する。そして、ネジ等の固定部材Ｎを基底部１２の挿通孔７に挿通して下地桁材ＳＫにねじ込むことにより、枠部材１を下地桁材ＳＫに固定する。
【００５３】
次に、図８に示すように、枠部材１の開口Ｔ２に蓋部材２を挿入して、蓋部材２の壁裏空間Ｓ２側の面が蓋側延出部１３ａ及び蓋縁支持部１５に当接する位置まで蓋部材２を押し込む。そして、カバー部材５の係合部５３を辺部材１ａ〜１ｄの被係合部１１ｅ内に押し込むことにより、係合部５３の増厚部５３ｂを鉤状部１１ｈに係合させる。カバー部材５の係合部５３を係合させることで図２に示す状態となる。カバー部材５の係合部５３を被係合部１１ｅに係合させた状態では、増厚部５３ｂが段差１１ｉに引っかかるので、係合部５３の係合状態は解除されにくく係合がロックされた状態となっている。また、当接片６の先端が蓋部材２の室内空間Ｓ１側の面に当接しているので、蓋部材２が枠部材１から外れることを防止することができる。
【００５４】
なお、壁裏空間Ｓ２内を点検するために枠部材１から蓋部材２を取り外す際には、上述の枠部材１に蓋部材２を取り付ける順序と逆の順序で作業を行えばよい。具体的には、まず、図２に示す状態において、カバー部材５と蓋部材２との隙間に指を入れて、この指を引き上げることにより被係合部１１ｅによる係合部５３の係合状態を解除し、図８に示すようにカバー部材５の係合部５３を枠部材１から取り外す。そして、蓋部材２の室内空間Ｓ１側の面に設けられた図外の把手を持って、蓋部材２を室内空間Ｓ１側に引っ張ることにより、図７に示すように蓋部材２を枠部材１から取り外す。このようにして、枠部材１の開口Ｔ２から壁裏空間Ｓ２内を点検することができる。
【００５５】
＜作用等＞
以上説明したように、本実施形態に係る点検口装置１００によれば、第１及び第２辺部材１ａ、１ｄの側壁１１がコーナー連結部材３の側壁接触部３２に接触しているので、第１及び第２辺部材１ａ、１ｄの側壁１１に外側の力が加わっても第１及び第２辺部材１ａ、１ｄが外側に広がらないように側壁接触部３２が第１及び第２辺部材１ａ、１ｄの外側への広がりを抑えることができる。
【００５６】
点検口Ｔ１に枠部材１を取り付ける時には延出部１４を壁材Ｋに当接させることで延出部１４の端部に負荷がかかるし、枠部材１に蓋部材２を取り付ける時にはカバー部材５の連結部５２を弾性変形させることで、第１及び第２辺部材１ａ、１ｄの延出部１４の室内空間側の端部に負荷がかかるが、当該延出部１４がコーナー連結部材３の延出接触部３４に沿って点検口Ｔ１の外側に延びているので、上記負荷の一部をコーナー連結部材３（延出接触部３４）に逃がすことができる。このように第１及び第２辺部材１ａ、１ｄの延出部１４にかかる負荷をコーナー連結部材３に逃がすことで、第１及び第２辺部材１ａ、１ｄの延出部１４が変形することを抑制することができる。したがって、側壁１１と側壁接触部３２との接触面よりも点検口Ｔ１の内側で、上記コーナー連結部材３を第１及び第２辺部材１ａ、１ｄに固定すれば、コーナー連結部材３の側壁接触部３２及び延出接触部３４は第１及び第２辺部材１ａ、１ｄに固定しなくても（接触させるだけで）、枠部材１の第１及び第２辺部材１ａ、１ｄの交差部分の強度を十分に高めることができ、以って枠部材１の強度を高めることができる。
【００５７】
本実施形態によれば、従来技術のように辺部材１ａ〜１ｄの突合せ部分の室内空間Ｓ１側及び壁裏空間Ｓ２側の両側にコーナー連結部材３を設けなくても、壁裏空間Ｓ２側のみにコーナー連結部材３を設けるだけで、各辺部材１ａ〜１ｄを一体に連結することができる。このため、本実施形態によれば、従来のように、各辺部材１ａ〜１ｄの突合せ部分の両側（室内空間Ｓ１側及び壁裏空間Ｓ２側）に対してコーナー連結部材３を設ける場合に比して、各辺部材１ａ〜１ｄ同士を連結するときの作業を簡略化することができる。
【００５８】
上記実施形態では、枠部材１に蓋部材２を取り付ける時に蓋部材２の壁裏空間Ｓ２側が基底部１２に接触することで、蓋部材２の壁裏空間Ｓ２側を支持することができる。そして、上辺部材１ａ及び右辺部材１ｄの基底部１２がコーナー連結部材３の基底接触部３１に接触しているので、上辺部材１ａ及び右辺部材１ｄの基底部１２に壁裏空間Ｓ２側向けの力が過剰に加わっても基底接触部３１が基底部１２を壁裏空間Ｓ２側から支えることができ、基底部１２が壁裏空間Ｓ２側に変形することを抑制し得る。
【００５９】
また上辺部材１ａ及び右辺部材１ｄの側壁１１、延出部１４及び基底部１２の３面のいずれか１つの部位に負荷が集中したときにもその負荷を他の１又は２の部位に分散することができるし、各部位がそれぞれコーナー連結部材３の側壁接触部３２、延出接触部３４及び基底接触部３１のいずれかに接触しているので、コーナー連結部材３が上辺部材１ａ及び右辺部材１ｄの交差部分の強度を弱点なく補強し得る。
【００６０】
そして、コーナー連結部材３の基底接触部３１が上辺部材１ａ及び右辺部材１ｄの基底部１２の壁裏空間Ｓ２側に当接するため、枠部材１を下地桁材ＳＫに取り付けたときに基底部１２と下地桁材ＳＫとの間に生じる空隙を埋めることができる。これにより下地桁材ＳＫに取り付けたときの基底部１２の脆弱性を基底接触部３１によって補うことができ、以って壁材Ｋに枠部材１を取り付けたときの取付強度を高めることができる。
【００６１】
上記実施形態では、コーナー連結部材３の嵌合部３３を上辺部材１ａ及び右辺部材１ｄの被嵌合部１１ｄに嵌合することにより、コーナー連結部材３における上辺部材１ａ及び右辺部材１ｄの取付位置を仮決めすることができる。このように上辺部材１ａ及び右辺部材１ｄの取付位置を仮決めした上で、上辺部材１ａ及び右辺部材１ｄとコーナー連結部材３とを溶着することにより、上記溶着作業時に上辺部材１ａ及び右辺部材１ｄがコーナー連結部材３から位置ズレすることなく、上辺部材１ａ及び右辺部材１ｄとコーナー連結部材３とを容易に固定することができる。
【００６２】
上記実施形態では、上辺部材１ａ及び右辺部材１ｄの基底部１２とコーナー連結部材３の基底接触部３１とを溶着しているので、壁裏空間Ｓ２側の面で上辺部材１ａ及び右辺部材１ｄとコーナー連結部材３ａとを溶着することができ、溶着作業を簡便に行うことができる。またこの部分は接触面積が幅広になっているのでこの部分を溶着することで両部材の接合強度を高めることができ、上辺部材１ａ及び右辺部材１ｄがコーナー連結部材３ａから外れにくくなる。
【００６３】
本実施形態では、外側壁１１ａと内側壁１１ｂとの間隔よりもベース壁３３ａの厚みを小さくしているので、嵌合部３３を被嵌合部１１ｄに嵌合させやすい。そして、ベース壁３３ａの側面に４つの突起３３ｂを設けているので、嵌合部３３を被嵌合部１１ｄに嵌合させた状態で当該突起３３ｂが被嵌合部１１ｄの内側面（つまり外側壁１１ａ）に接触するため、嵌合部３３が被嵌合部１１ｄに嵌合された状態で嵌合部３３が被嵌合部１１ｄから外れにくい。逆にベース壁３３ａに突起３３ｂを設けていない場合には嵌合部３３が被嵌合部１１ｄに引っかからなくなるので、嵌合部３３が被嵌合部１１ｄから外れやすくなってしまう。嵌合部３３が被嵌合部１１ｄから外れることを防止するためにベース壁３３ａの厚みを外側壁１１ａと内側壁１１ｂとの間隔と略同一とすると、これらの部位の接触面積が増えることで接触部分に摩擦が生じやすくなるので、嵌合部３３を被嵌合部１１ｄに嵌合させにくくなる。
【００６４】
コーナー連結部材３の基底接触部３１は、コーナー連結部材３の他の部位に比して図６に示すように辺部材１ａ、１ｄとの接触部分が幅広になっているので、かかる幅広の面を超音波溶着することで溶着作業をしやすいし、両部材の接合強度を高めることができる。しかも、コーナー連結部材３ａ〜３ｄの基底接触部３１が基底部１２の壁裏空間側に溶着されているので、辺部材１ａ〜１ｄの基底部１２の脆弱性をコーナー連結部材３の基底接触部３１によって補うことができる。
【００６５】
上記溶着作業は、従来のそれよりも格段に簡便になっている。つまり上記実施形態においては、コーナー連結部材３が辺部材１ａ〜１ｄの壁裏空間Ｓ２側から室内空間Ｓ１側まで一体に接触する一部材となっているため、その溶着作業を一箇所のみに施すだけで両部材を一体化し得るし、溶着作業を施す箇所も両部材が幅広に接触している部分一箇所のみで足り、従来技術における両部材が幅狭に接触している部位の溶着作業は省略し得る。
【００６６】
上記実施形態において、鉤状部１１ｈは、室内空間Ｓ１側の先端から壁裏空間Ｓ２側に向けて徐々に厚みが厚くなる傾斜面１１ｇと、傾斜面１１ｇの壁裏空間Ｓ２側の端部と内側壁１１ｂとを垂直に結ぶ段差１１ｉとを有し、増厚部５３ｂは断面略円形状であるので、係合部５３を被係合部１１ｅに押し込むと、断面略円形状の増厚部５３ｂが被係合部１１ｅの傾斜面１１ｇを滑って、被係合部１１ｅの段差１１ｉを超えるまで増厚部５３ｂを円滑に動作させて係合部５３を被係合部１１ｅに係合させることができる。しかも、係合部５３を係合させた状態では、増厚部５３ｂが段差１１ｉに引っかかるので係合状態が解除されにくくなっている。
【００６７】
カバー部材５は、可撓性の連結部５２を介して辺部材１ａ〜１ｄと一体化されているので、連結部５２を曲げ伸ばしすることにより、カバー部材５を辺部材１ａ〜１ｄに連結した状態のまま、辺部材１ａ〜１ｄに対してカバー部材５を動作させることができる。つまり、カバー部材５が辺部材１ａ〜１ｄから完全に分離することがないので、係合部５３の係合を解除したときにカバー部材５を紛失することを防止することができる。
【００６８】
上記実施形態において、被係合部１１ｅが内側壁１１ｂに鉤状部１１ｈが形成された凹部であり、係合部５３が厚みの大きい増厚部５３ｂが先端に形成された凸部であり、被係合部１１ｅに係合部５３を挿入して増厚部５３ｂが鉤状部１１ｈを乗り越えることにより係合部５３が被係合部１１ｅと係合するので、被係合部１１ｅに対して係合部５３を軽く押し込むことで、増厚部５３ｂが鉤状部１１ｈを乗り越えて凹部に凸部を容易に係合させることができるし、この係合状態で凸部を軽く引っ張ることにより、凸部を押し込むときとは反対方向に増厚部５３ｂが鉤状部１１ｈを乗り越え、凸部を凹部から容易に取り外すことができる。このように係合部５３を被係合部１１ｅに係合させやすいし、またその係合状態を容易に解除することもできる。
【００６９】
また、下地側延出部１３ｂの壁裏空間Ｓ２側への延出長さが、後述するコーナー連結部材３の基底接触部３１の厚みと略同一になっているので、辺部材１ａ〜１ｄにコーナー連結部材３ａ〜３ｄを取り付けたときに基底接触部３１の壁裏空間Ｓ２側の面と下地側延出部１３ｂの壁裏空間Ｓ２側の面とがいずれも下地桁材ＳＫに当接し、下地桁材ＳＫに取り付けた枠部材１が安定しやすい。
【００７０】
しかも、壁材当接部１４ｂの外側延出部１４ａから壁裏空間Ｓ２側への延出長さが、延出接触部３４の厚みと略同一となっているので、壁材Ｋに枠部材１を取り付けたときに、壁材当接部１４ｂ及び延出接触部３４の両方が壁材Ｋに当接することになるので、壁材Ｋに取り付けた枠部材１が安定しやすい。
【００７１】
（変形例）
上記実施形態において、枠部材１の四隅全てに同一のコーナー連結部材３を設ける場合を説明したが、枠部材１の四隅のいずれか一隅のみに上記構成を有するコーナー連結部材３ａを用いる限り、他のコーナー連結部材３ｂ〜３ｄは上記実施形態で説明したものとは別形状であってもよい。辺部材１ａ〜１ｄについても同様で、枠部材１の四辺全てに上記実施形態の構成の辺部材を用いる必要はなく、枠部材１を構成する辺部材１ａ〜１ｄのうちのいずれか２以上の辺部材が請求項でいう「第１辺部材」及び「第２辺部材」に相当するものである限り、他の辺部材は別形状であっても差し支えない。
【００７２】
上記実施形態においては、上辺部材１ａ及び右辺部材１ｄの基底部１２とコーナー連結部材３の基底接触部３１とを溶着によって固定したが、側壁１１と側壁接触部３２との接触面よりも内側（点検口Ｔ１の中心側）で、上辺部材１ａ及び右辺部材１ｄがコーナー連結部材３に固定されている限り、上記実施形態の固定位置に限られない。例えば、上辺部材１ａ及び右辺部材１ｄの被嵌合部１１ｄとコーナー連結部材３の嵌合部３３とを溶着により一体化してもよい。この部分を溶着することでも、コーナー連結部材３から上辺部材１ａ及び右辺部材１ｄを外れにくくすることができる。
【００７３】
上記実施形態においては、基底接触部３１に対して４本のＬ字型の溶着凸部３５を設ける場合を説明したが、上記溶着凸部３５の本数は４本に限定されず、３本以下であっても５本以上であってもよい。また、上辺部材１ａ及び右辺部材１ｄとコーナー連結部材３との固定方法は、超音波溶着に限定されず、例えば接着剤による接着を用いてもよい。
【００７４】
上記実施形態において、側壁１１は、外側壁１１ａと内側壁１１ｂの２枚を平行に離間して設け、その略中央部を連結壁１１ｃによって連結したものを用いているが、上記実施形態のみに限られず、例えば外側壁１１ａと内側壁１１ｂとが一体の板状部材を構成し、当該板状部材の室内空間Ｓ１側及び壁裏空間Ｓ２側にそれぞれ各１つの凹溝（被係合部及び被嵌合部）が設けられる形態であってもよい。
【００７５】
上記実施形態においては、内側壁１１ｂの先端部に鉤状部１１ｈを形成しているが、鉤状部１１ｈを外側壁１１ａの先端部に形成してもよいし、鉤状部１１ｈを内側壁１１ｂと外側壁１１ａの双方に形成してもよい。鉤状部１１ｈを外側壁１１ａに形成する場合には、鉤状部１１ｈは内側壁１１ｂ側に突出させることになる。
【００７６】
上記実施形態においては、側壁１１に被係合部１１ｅを形成し、カバー部材５に係合部５３を形成しているが、逆に、カバー部材５に被係合部を形成し、側壁１１に係合部を形成してもよい。
【００７７】
上記実施形態においては、係合部５３の先端部の断面が略断面円形状である増厚部５３ｂを説明したが、増厚部５３ｂの断面形状は、三角形状（矢尻状）であってもよい。
【００７８】
上記実施形態においては、点検口装置１００に取り付ける壁材Ｋが側壁の場合を説明したが、天井の点検口又は床下点検口に取り付けてもよい。
【符号の説明】
【００７９】
Ｋ  壁材
Ｎ  固定部材
Ｓ１  室内空間
Ｓ２  壁裏空間
Ｔ１  点検口
Ｔ２  開口
１  枠部材
１ａ  上辺部材（第１辺部材又は第２辺部材の一例）
１ｂ  下辺部材（第１辺部材又は第２辺部材の一例）
１ｃ  左辺部材（第１辺部材又は第２辺部材の一例）
１ｄ  右辺部材（第１辺部材又は第２辺部材の一例）
２  蓋部材
３，３ａ，３ｂ，３ｃ，３ｄ  コーナー連結部材
５  カバー部材
６  当接片
１１  側壁
１１ｄ  被嵌合部
１１ｅ  被係合部
１１ｇ  傾斜面
１１ｈ  鉤状部（突片）
１１ｉ  段差
３１  基底接触部
３２  側壁接触部
３３  嵌合部
３４  延出接触部
３５  溶着凸部
５１  カバー本体部
５２  連結部
５３  係合部
５３ａ  首部
５３ｂ  増厚部
１００  点検口装置
【図１】
0006600590.tif 000002
【図２】
0006600590.tif 000003
【図３】
0006600590.tif 000004
【図４】
0006600590.tif 000005
【図５】
0006600590.tif 000006
【図６】
0006600590.tif 000007
【図７】
0006600590.tif 000008
【図８】
0006600590.tif 000009